(57)【要約】  【課題】本人の意識外の他者が電源プラグを異常態様で引抜き、プラグの導通部に接触しないようにし、感電を未然に防ぐこと。  【解決手段】絶縁性のプラグ本体２０にプラグ栓刃１９ａ，１９ｂが固定されていると共に、該プラグ栓刃１９ａ，１９ｂの根元側のＬ字状先端側部分に接続された固定接片２１ａ，２１ｂが可動接片１４ａ，１４ｂに接触するように構成し、固定接片１４ａ，１４ｂは上記プラグ本体２０から横方向に突出すると共に、該突出部分の先端部は絶縁材３０により被覆され、該突出部分先端の絶縁材３０が不慮感電を防ぐ。【選択図】図８
2010199097.tif 000002
【特許請求の範囲】
【請求項１】
弾性的可動接片を有するＡＣアダプタに組み付けられる電源プラグであって、
絶縁性のプラグ本体にプラグ栓刃が固定されていると共に、該プラグ栓刃の根元側のＬ字状先端側部分に接続された固定接片が前記可動接片に接触するように構成された電源プラグにおいて、
上記固定接片は上記プラグ本体から横方向に突出すると共に、該突出部分の先端部は絶縁材により被覆され、該突出部分の外周露出面に上記可動接片が接触するように構成されていることを特徴とする電源プラグ。
【請求項２】
上記固定接片の先端部を被覆する上記絶縁材は、該固定接片の突出部分の外周露出面の一部を被覆する絶縁性橋渡し部を介して、上記プラグ本体に接続されていることを特徴とする請求項１記載の電源プラグ。
【発明の詳細な説明】
【技術分野】
【０００１】
本発明は電源プラグに関するものであり、特に、ＡＣアダプタのケース部に一体的に組み付けられる電源プラグに関するものである。
【背景技術】
【０００２】
従来の此種電源プラグ１は、図１３に示すように、金属製ブレードである１対のプラグ栓刃２，２の根元部を合成樹脂製のプラグ本体３にモールドして成り、該プラグ本体３の左右両側面から金属製の固定接片４，４が突出している。そして、前記電源プラグ１はＡＣアダプタに組み込んで使用され、この場合、電源プラグ１側の固定接片４，４がＡＣアダプタ側のケース部の凹部に係合して一体的に組み付けられる。
【先行技術文献】
【特許文献】
【０００３】
【特許文献１】特開２００７−１０３３０４号公報                                図１４は、電源プラグ１が組み込まれたＡＣアダプタ５を、コンセント６に差し込んで使用している時の状態を示すものであり、従来技術に係る、この特許文献１に記載されたＡＣアダプタの電源プラグと同様のものである。
【発明の概要】
【発明が解決しようとする課題】
【０００４】
上記従来の電源プラグ１は、該電源プラグ１自体は製品として何ら問題はないが、使用者が意図しない原因、例えば悪意者の故意により異常な使用状態、即ち、コンセント６に差し込まれた電源プラグ１のプラグ本体３からＡＣアダプタ５のケース部５Ａのみが取り外されることがあり得る。
【０００５】
その結果、図１５に示すように、コンセント６にはプラグ本体３のみが取り付けられたまま残存し、プラグ本体３の側面から固定接片４，４が突出する状態（異常な使用状態）となる。このため、例えば、前記コンセント６からプラグ本体３を取り外す際に、該プラグ本体３側面から突出する固定接片４，４にユーザの手などが接触して、感電することが危惧されるという問題がある。
【０００６】
そこで、電源プラグの異常な使用時にコンセントに差し込まれたプラグ本体を取り外す際に、固定接片に手などが接触して感電することを確実に防止するために解決せられるべき技術的課題が生じてくるのであり、本発明は該課題を解決することを目的とする。
【課題を解決するための手段】
【０００７】
本発明は上記目的を達成するために提案されたものであり、請求項１記載の発明は、弾性的可動接片を有するＡＣアダプタに組み付けられる電源プラグであって、
絶縁性のプラグ本体にプラグ栓刃が固定されていると共に、該プラグ栓刃の根元側のＬ字状先端側部分に接続された固定接片が前記可動接片に接触するように構成された電源プラグにおいて、
上記固定接片は上記プラグ本体から横方向に突出すると共に、該突出部分の先端部は絶縁材により被覆され、該突出部分の外周露出面に上記可動接片が接触するように構成されている電源プラグを提供するものである。
【０００８】
この構成によれば、固定接片の先端部は絶縁材により被覆されている。
即ち、固定接片の先端部は、プラグ本体から突出しているが、上記固定接片の先端部を絶縁材（例えば樹脂モールド部など）により被覆する。このように構成すると、コンセントに差し込まれているプラグ本体を取り外すとき、固定接片に手などが接触しても感電することがない。
【０００９】
請求項２記載の発明は、上記固定接片の先端部を被覆する上記絶縁材は、該固定接片の突出部分の外周露出面の一部を被覆する絶縁性橋渡し部を介して、上記プラグ本体に接続されている請求項１記載の電源プラグを提供するものである。
【００１０】
この構成によれば、固定接片の先端部を被覆する絶縁材は、橋渡し部を介してプラグ本体に接続されているので、該固定接片に対する絶縁材の固着強度（被覆強度）が増大する。
【発明の効果】
【００１１】
請求項１記載の発明は、固定接片の導通部に外部から手などが接触しないので、電源プラグの異常な使用時において、コンセントに差し込まれたプラグ本体を取り外す際、感電事故の発生を確実に防止することができる。
また、固定接片の先端部に手などを接触させても感電しないので、前記の効果に加えて、プラグ本体を安全に掴むことができる。
そして、可動接片は固定接片の外周面に径方向から弾性的に接触するので、固定接片と可動接片との接触状態（導通状態）を常に良好に維持することができる。
【００１２】
請求項２記載の発明は、固定接片の先端部を被覆する絶縁材は橋渡し部により固着強度が増大するので、請求項１記載の発明の効果に加えて、絶縁材が固定接片から離脱するおそれがない。
【図面の簡単な説明】
【００１３】
【図１】本発明と密接に関連する形態例を示し、（ａ）は平面図、（ｂ）は側面図。
【図２】本発明と密接に関連する形態例を示し、（ａ）は断面図、（ｂ）は左側面図、（ｃ）は右側面図。
【図３】本発明と密接に関連する形態例の一例に係るＡＣアダプタのケース部内を示す平面図。
【図４】本発明と密接に関連する形態例の一例の電源プラグのプラグ本体がコンセントに取り付けられた状態を示す斜視図。
【図５】本発明と密接に関連する形態例の一例に係る端子ピンの形状を変更した電源プラグの構成例を示す断面図。
【図６】本発明と密接に関連する形態例を示し、（ａ）は断面図、（ｂ）は左側面図、（ｃ）は右側面図。
【図７】本発明と密接に関連する形態例に係る中継導通端子をスプリングで付勢した変形例を示す要部断面図。
【図８】本発明の実施例を示し、（ａ）は断面図、（ｂ）は左側面図、（ｃ）は右側面図、（ｄ）は（ａ）のＡ−Ａ線断面図。
【図９】本発明の更に他の実施例に係るＡＣアダプタの内部構造を示し、（ａ）は平面図、（ｂ）は正面断面図、（ｃ）はバネ接片部分の要部断面図。
【図１０】本発明の更に他の実施例に係る固定接片の樹脂モールド部の橋渡し部を示す要部斜視図。
【図１１】固定式の電源プラグに本発明を適用した実施例を示す斜視図。
【図１２】固定式の電源プラグを示し、（a）は本発明の電源プラグの要部断面図、（b）は従来例の要部断面図。
【図１３】従来例の電源プラグの斜視図。
【図１４】従来例のＡＣアダプタの使用時の斜視図。
【図１５】従来例の電源プラグのプラグ本体がコンセントに取り付けられた状態を示す斜視図。
【発明を実施するための形態】
【実施例】
【００１４】
以下、実施例そのものの外、本発明と密接に関連する好適な形態例についても説明する。本形態例は、図１（ａ）及び（ｂ）に示すように、電源プラグ１８のプラグ栓刃１９ａ，１９ｂの根元部側に設けた導通部分、即ち、可動接片１４a，１４ｂに接触する固定接点Ｃ部分をプラグ本体２０の側面２２ａ
，２２ｂから突出しないように凹状構造に形成することにより、例えば、コンセントに差し込まれたプラグ本体２０を掴んだ際に、前記固定接点Ｃに手などが接触できないようにしたものである。
【００１５】
尚、本発明は、回動式の電源プラグ又は固定式の電源プラグの何れにも適用可能である。
【００１６】
本形態例に係る電源プラグを図２乃至図１２に従って更に詳細に説明する。図２はＡＣアダプタに組み込まれた電源プラグを示し、（a）は断面図、（b）は左側面図、（c）は右側面図、図３はＡＣアダプタのケース部内側を示す平面図（回路基板は省略）である。
【００１７】
図において、１１はＡＣ電源をＤＣ電源に変換するＡＣアダプタであり、該ＡＣアダプタ１１のケース部１２は絶縁性の合成樹脂から成る。該ケース部１２の下面側には、図２（ａ）に示すように、回路部品などが実装された回路基板１３が設けられている。又、図３に示すケース部１２の外周部の１箇所には、電源プラグ１８を配設するためのコ字形の凹所１２Ａが形成されている。
【００１８】
前記回路基板１３上には、図２（a）に示すように、弾性材から成る縦断面略逆Ｕ字状のバネ接片（可動接片）１４ａ，１４ｂが電気的に接続され、各バネ接片１４ａ，１４ｂの先端に端子ピン１５ａ，１５ｂがカシメ又はピン止め等にて固定されている。又、バネ接片１４ａ，１４ｂは、図３に示すように、前記凹所１２Ａの左右両側周縁中央部（切欠部）１２B,１２Bに近接対向して立設されている。
【００１９】
本形態例の電源プラグ１８は、前記ケース部１２の凹所１２Ａ内に配設されている。該電源プラグ１８は、図２（a）に示すように、商用電源のコンセント（図示せず）の差し込み口に差し込まれる１対のプラグ栓刃１９ａ，１９ｂと、該１対のプラグ栓刃１９ａ，１９ｂの根元部が一体に樹脂モールドされた絶縁性のプラグ本体２０とから成る。
【００２０】
各プラグ栓刃１９ａ，１９ｂの根元部はＬ字状に折曲形成され、該Ｌ字状部分の先端部は、プラグ本体２０の側面２２ａ，２２ｂ側に延びている。そして、該Ｌ字状部分の先端部は、プラグ栓刃１９ａ，１９ｂに一体に接続された固定接片２１ａ，２１ｂとして機能している。尚、固定接片２１ａ，２１ｂの横断面形状は任意であり、角形又は丸形のいずれでも良い。
【００２１】
前記プラグ本体２０における固定接片２１ａ，２１ｂと対応する箇所には、固定接片用の孔２５ａ，２５ｂが段付き状に拡径して開穿され、該孔２５ａ，２５ｂの先端は、プラグ本体２０の側面２２ａ，２２ｂに開口している。更に、孔２５ａ，２５ｂの開口部は、ケース部１２側の円弧状切欠部１２B,１２Bに近接対向している。又、該孔２５ａ，２５ｂ内には前記バネ接片１４ａ，１４ｂの端子ピン１５ａ，１５ｂが挿入され、該端子ピン１５ａ，１５ｂは固定接片２１ａ，２１ｂの先端面に弾性的に接触している。
【００２２】
図２（ａ）に於ける右側の孔２５ａの外周部にはカム機構が設けられている。該カム機構は、波状のカム面を有する略円形のカム部２３と、該カム部２３が回動可能に嵌合する矩形状の合成樹脂製カム受け部（図示せず）とから構成され、該カム受け部の下端部は、ケース部１２底面の凹部に嵌合固定されている。
【００２３】
依って、プラグ本体２０は前記カム機構を介して、ケース部１２に対して間欠回動可能に組み付けられている。そのため、プラグ本体２０は、プラグ栓刃１９ａ，１９ｂがケース部１２の前面１２Ａから突出する使用位置（図３参照）と、該プラグ栓刃１９ａ，１９ｂが回動変位してケース部１２の凹所１２Ａ内に収納される収納位置とに選択的に切替え操作できるように構成されている。
【００２４】
前記プラグ本体２０が使用位置にある場合は、プラグ本体２０側の固定接片２１ａ，２１ｂと前記ケース部１２側のバネ接片１４ａ，１４ｂとは互いに導通状態になる。しかし、プラグ本体２０が使用位置以外にある場合も導通状態である。尚、プラグ本体２０が使用位置以外にある場合は、固定接片２１ａ，２１ｂとバネ接片１４ａ，１４ｂとは互いに非導通状態とすることも可能である。
【００２５】
本形態例によれば、前記固定接片２１ａ，２１ｂの先端部は孔２５ａ，２５ｂの内部に位置しているので、プラグ本体２０の側面２２ａ，２２ｂから突出していない（凹状構造）。このため、外部から固定接片２１ａ，２１ｂに手などが接触しないように構成されている。
【００２６】
従って、図４に示すように、コンセント６にプラグ本体２０のみが差し込まれていた場合に、例えば、該プラグ本体２０を使用者が掴んで取り外す際、孔２５ａ，２５ｂ内の固定接片２１ａ，２１ｂに手が電気的に接触しないため、プラグ本体２０を安全に取り外すことができる。斯くして、プラグ本体２０を取り外す際に感電する恐れがない。
【００２７】
本形態例において、前記バネ接片１４ａに設けた端子ピン１５ａは、任意な形状に形成できるが、図５に示すように、細幅形状に形成することを可とする。このように構成すると、孔２５ａの直径を小さくできる。従って、孔２５ａの直径が小さくなる分だけ、孔２５ａの外周部に形成したカム部２３の肉厚を厚く形成でき、カム部２３の剛性強度を増大させることができる。
【００２８】
この場合、端子ピン１５ａの形状変更に応じて、プラグ栓刃１９ａ根元部の形状を変更することが好ましい。図５の構成例では、プラグ本体２０に対するプラグ栓刃１９ａの固定力が増大するように、プラグ栓刃１９ａ根元部に段部Dが設けられている。
【００２９】
図６（ａ）〜（ｃ）は本発明と密接に関連する他の形態例を示し、前記孔２５ａ，２５ｂ内には、導電性材料から成る中継導通端子（導電性部材）２６ａ，２６ｂが装着されている。即ち、前記プラグ栓刃１９ａ，１９ｂ根元側の固定接片２１ａ，２１ｂとケース部１２側のバネ接片１４ａ，１４ｂとの間には中継導通端子２６ａ，２６ｂが介装されている。そして、該中継導通端子２６ａ，２６ｂの両端部を除く外周面は、絶縁性の樹脂モールド部（絶縁材）２７ａ，２７ｂにより被覆されている。
【００３０】
中継導通端子２６ａ，２６ｂは前記孔２５ａ，２５ｂ内に摺動可能に挿入され、該中継導通端子２６ａ，２６ｂの先端部は、プラグ本体２０の側面２２ａ，２２ｂから突出している。尚、プラグ栓刃１９ａ，１９ｂの根元部の形状は、図５の実施例と同様に、中継導通端子２６ａ，２６ｂが接触する部分には段部が設けられている。
【００３１】
斯くの如く、プラグ本体２０の側面２２ａ，２２ｂから中継導通端子２６ａ，２６ｂが突出しているが、該中継導通端子２６ａ，２６ｂの外周面は，絶縁性の樹脂モールド部（絶縁材）２７ａ，２７ｂにより被覆されているので、中継導通端子２６ａ．２６ｂの外周面に手などを触れても感電の恐れがない。
【００３２】
従って、例えば、前記コンセントに差し込まれているプラグ本体２０を掴んで取り外す際、中継導通端子２６ａ．２６ｂの外周面に手を接触させても、該外周面は絶縁性の樹脂モールド部２７ａ，２７ｂにより被覆されているので、感電事故を未然に防止することができる。
【００３３】
本形態例では、中継導通端子２６ａ，２６ｂは前記孔２５ａ，２５ｂの開口端側に弾性付勢することが好ましい。図７にその構成例を示す。同図では、中継導通端子２６ａ，２６ｂは導電性のスプリング２８ａ，２８ｂにより、前記固定接片２１ａ，２１ｂからバネ接片１４ａ，１４ｂに向かう方向に常に弾発的に付勢されている。
【００３４】
前記スプリング２８ａ，２８ｂの付勢力は、バネ接片１４ａ，１４ｂの付勢力よりも小さく設定されている。このため、プラグ本体２０から前記ケース部１２が外れると、中継導通端子２６ａ，２６ｂはスプリング２８ａ，２８ｂの力によって前記孔２５ａ，２５ｂの開口端側に移動する。その結果、中継導通端子２６ａ，２６ｂは固定接片２１ａ，２１ｂから離反して非導通状態になる。特に、スプリング２８ａ，２８ｂの付勢力を所定値以上に設定することにより、中継導通端子２６ａ，２６ｂは孔２５ａ，２５ｂの外側に自動的に移動して離脱する。
【００３５】
依って、コンセント６にプラグ本体２０のみが差し込まれている時は、該プラグ本体２０の側面２２ａ，２２ｂには感電の原因となる中継導通端子２６ａ，２６ｂが存在しないか、或いは、存在していても該中継導通端子２６ａ，２６ｂは固定接片２１ａ，２１ｂから離反して非導通状態にあるので、プラグ本体２０を安全に取り外すことができる。
【００３６】
また、電源プラグ１８の使用時、即ち、電源プラグ１８がケース部１２に対して前記使用位置に存在する時、中継導通端子２６ａ，２６ｂはスプリング２８ａ，２８ｂによりバネ接片１４ａ，１４ｂ側に付勢されている。このため、該バネ接片１４ａ，１４ｂ側に対する中継導通端子２６ａ，２６ｂの接触圧力が増大する。それ故、固定接片２１ａ，２１ｂとバネ接片１４ａ，１４ｂとの電気的な接触状態が常に良好に維持されて、電源プラグ１８の品質性能が向上する。
【００３７】
図８（ａ）〜（ｃ）は本発明の実施例を示す。同図に示すように、プラグ栓刃１９ａ，１９ｂ根元側のＬ字状先端側部分に設けた固定接片２１ａ，２１ｂは、所定値以上の長さ寸法を有し、プラグ本体２０の側面２２ａ，２２ｂから突出している。そして、該突出部分の先端部は、絶縁性の樹脂モールド部（絶縁材）３０，３０により被覆されているが、該突出部分の中間部分の外周面には何も被覆されていない。
【００３８】
このように、固定接片２１ａ，２１ｂの中間部分の外周面は外部に露出している。そして、該固定接片２１ａ，２１ｂの露出面にはバネ接片１４ａ，１４ｂが弾性的に接触するように構成されている。図示例では、該バネ接片１４ａ，１４ｂは、図９（ａ）〜（ｃ）に示すように、固定接片２１ａ，２１ｂに対して直交する方向に配置されている。
【００３９】
従って、固定接片２１ａ，２１ｂの先端部は絶縁性の樹脂モールド部３０，３０により被覆されているので、固定接片２１ａ，２１ｂの先端部に手などが接触しても感電の危険がない。また、該固定接片２１ａ，２１ｂに対してバネ接片１４ａ，１４ｂは直交方向から弾接するため、固定接片２１ａ，２１ｂとバネ接片１４ａ，１４ｂとの電気的な接触状態が常に安定的に維持される。
【００４０】
特に本実施例では、図１０に示すように、固定接片２１ａ，２１ｂの先端部を被覆する樹脂モールド部３０，３０は、固定接片２１ａ，２１ｂの外周面に設けた絶縁性の横断面円弧状の橋渡し部（合成樹脂製の絶縁材）３１，３１を介して、上記プラグ本体２０の側面２２ａ，２２ｂに一体に接続させることもできる。この構成によると、樹脂モールド部３０，３０の固定強度が増大するので、樹脂モールド部３０，３０が固定接片２１ａ，２１ｂ先端部から離脱するおそれがない。
【００４１】
この場合、橋渡し部３１，３１の横断面円弧状の円周角は、プラグ本体２０の回動範囲に応じた角度、例えば、２７０度又は１８０度に設定されている。従って、ケース部１２に対してプラグ本体２０は所定範囲の回動が許容されるので、該プラグ本体２０を前記使用位置又は収納位置に円滑に回動変位させることができる。
【００４２】
以上、回動式の電源プラグに本発明を適用した構成例について説明したが、本発明は固定式の電源プラグにも適用可能である。図１１及び図１２は、固定式の電源プラグ３２に本発明を適用した構成例を示す。本実施例では、プラグ栓刃３３，３３は、絶縁性のプラグ本体３４にピン止め又はインサート成形などにて固着されている。
【００４３】
又、プラグ栓刃３３，３３の根元部に接続された固定接片３５，３５は、ＡＣアダプタ１１のケース部３７内に設けた可動接片（図示せず）に接触するように配設されている。
【００４４】
そして、前記固定接片３５，３５の先端部は、図１２（ａ）に示すように、プラグ本体３４の表面（段部）３４Ａから突出しないように設けられている。この構成によれば、プラグ本体３４に設けられた固定接片３５，３５は、従来の凸状構造の固定接片（図１２（ｂ）中の符号３８参照）とは異なり、凹状構造に形成されているので、該固定接片３５，３５に手を触れることがなく、感電の危険がない。
【００４５】
尚、本発明は、本発明の精神を逸脱しない限り種々の改変を為ことができ、そして、本発明が該改変されたものに及ぶことは当然である。
【符号の説明】
【００４６】
１１  ＡＣアダプタ（ＡＣアダプタ）
１２  ケース部
１４ａ，１４ｂ  バネ接片（可動接片）
１５ａ，１５ｂ  端子ピン
１６ａ，１６ｂ  切欠部（凹部）
１８  電源プラグ
１９ａ，１９ｂ  プラグ栓刃
２０  プラグ本体
２１ａ，２１ｂ  固定接片
２２ａ，２２ｂ  側面
２３  カム部
２５ａ，２５ｂ  孔
２６ａ，２６ｂ  中継導通端子（導電性部材）
２７  樹脂モールド部（絶縁材）
２８ａ，２８ｂ  スプリング
３０  樹脂モールド部（絶縁材）
３１ａ，３１ｂ  橋渡し部
【図１】
2010199097.tif 000003
【図２】
2010199097.tif 000004
【図３】
2010199097.tif 000005
【図４】
2010199097.tif 000006
【図５】
2010199097.tif 000007
【図６】
2010199097.tif 000008
【図７】
2010199097.tif 000009
【図８】
2010199097.tif 000010
【図９】
2010199097.tif 000011
【図１０】
2010199097.tif 000012
【図１１】
2010199097.tif 000013
【図１２】
2010199097.tif 000014
【図１３】
2010199097.tif 000015
【図１４】
2010199097.tif 000016
【図１５】
2010199097.tif 000017